(57)【要約】【課題】インジケータ本体と電解液表示部とからなるインジケータの取付をワンタッチで簡単に行うことができる自動車用バッテリを提供する。【解決手段】インジケータ本体４０１は、頭部４０１ａと、電槽の蓋１０２に一体に設けられたインジケータ取付用筒部１０３内を緩く貫通した首下部４０１ｂとを一体に有している。首下部４０１ｂの外周には、複数の爪部４０１ｃが、周方向に等しい間隔を隔てて突設され、爪部４０１ｃがインジケータ取付用筒部１０３の下端に下方から係合させられている。インジケータ本体４０１の頭部４０１ａとインジケータ取付け用筒部１０３の上端の開口部周辺との間にパッキン５が圧縮された状態で配置され、パッキン５の反発力により複数の爪部４０１ｃがインジケータ取付け用筒部１０３の下端に係合した状態に保持されている。【選択図】    図２
2009238629.tif 000002
【特許請求の範囲】
【請求項１】
極板群を電解液と共に収容した電槽と、前記電槽の蓋に取り付けられて前記電槽内に挿入された棒状のインジケータ本体と、前記電槽内に配置された前記インジケータ本体の下端に設けられて前記電槽内の電解液の液面レベル及び比重の状態を表示する電解液状態表示部とを有するインジケータを備え、前記電解液表示部による表示を前記インジケータ本体の上端から該インジケータ本体内を通して目視し得るように構成された自動車用バッテリにおいて、
前記電槽の蓋には、インジケータ取付け用筒部が、その上端を前記電槽の外部に開口させ、下端を前記電槽の蓋よりも下方の位置で前記電槽内に開口させた状態で設けられ、
前記インジケータ本体は、前記インジケータ取付用筒部の上端の開口部の内径よりも大きい外径を有する頭部と、前記頭部の下端から下方に伸びていて前記インジケータ取付用筒部内を緩く貫通した状態で配置された首下部とを一体に有し、
前記首下部の外周には、複数の爪部が、周方向に等しい間隔を隔てて突設されて、該複数の爪部が前記インジケータ取付用筒部の下端に下方から係合させられ、
前記インジケータ本体の頭部と前記インジケータ取付け用筒部の上端の開口部周辺との間にパッキンが圧縮された状態で配置されて、該パッキンの反発力により前記複数の爪部が前記インジケータ取付け用筒部の下端に係合した状態に保持されていること、
を特徴とする自動車用バッテリ。
【請求項２】
前記電槽の蓋には前記インジケータ取付用筒部の上端の開口部よりも大きい内径を有する凹部が設けられていて、該凹部の底面に前記インジケータ取付用筒部の上端が開口させられ、
前記インジケータ本体の頭部が前記凹部内に嵌合されて、該頭部と凹部の底面との間に前記パッキンが配置され、
前記インジケータ本体に設けられた複数の爪部が前記インジケータ取付用筒部の下端に係合した状態で、前記インジケータ本体の頭部の少なくとも一部が前記凹部内に嵌合された状態に保持されて、前記インジケータ本体の頭部が該凹部により拘束されるように、前記凹部の深さが設定されている請求項１に記載の自動車用バッテリ。
【請求項３】
前記インジケータ取付用筒部の内周に、該筒部の周方向に延びる複数の環状のリブが、該筒部の軸線方向に並べた状態で設けられ、
前記複数のリブにより、前記インジケータ本体の前記筒部の径方向への変位が規制されている請求項１または２に記載の自動車用バッテリ。
【発明の詳細な説明】
【技術分野】
【０００１】
本発明は、電槽の蓋に電解液の液面レベルや比重を表示するインジケータを取り付けた自動車用バッテリに関するものである。
【背景技術】
【０００２】
バッテリの電解液の液面レベルや比重を表示するインジケータは、例えば特許文献１に示されているように、光を透過させる樹脂材料からなっていて、バッテリの電槽の蓋を貫通して電槽内に挿入される棒状のインジケータ本体と、インジケータ本体の下端に設けられた電解液状態表示部とからなっている。
【０００３】
電解液状態表示部は、例えば、電解液の液面レベル及び比重に応じて上下位置が変化するフロートと、インジケータ本体の下端側に設けられてフロートが低い位置にあるときに該フロートの色をインジケータ本体の上端側に反射させる反射面とを備えている。この種のインジケータでは、電解液の液面レベルが許容下限レベルよりも低いか、または電解液の比重が規定範囲より小さいためにフロートが低い位置にあるときに、フロートの色を反射面によりインジケータ本体の上端側に反射させて、該フロートの色をインジケータ本体の上端からインジケータ本体内を通して目視し得るようにし、電解液の液面レベルが許容下限レベルよりも高く、かつ電解液の比重が規定範囲にあってフロートが高い位置にあるとき（液面付近に浮いているとき）には、フロートの色が上記反射面により反射されないようにして、電解液の液面レベル及び比重が正常であるときと、そうでないときとで、視認される色を異ならせることにより、電解液の状態（バッテリの充電状態）を表示し得るようにしている。
【０００４】
また特許文献１には、フロートを用いずに電解液の状態を表示し得るようにしたインジケータも示されている。このインジケータにおいては、インジケータ本体の下端に設けられた傾斜面と、インジケータ本体の下端に取り付けられた表示部材とにより電解液状態表示部が構成されていて、電解液の比重が規定値よりも低いとき及び電解液の液面レベルが不足して電解液がインジケータ本体の下端の傾斜面に接していないときに、インジケータ本体の上端から入射した光が傾斜面で全反射され、比重が規定値以上の電解液が傾斜面に接しているときには、インジケータ本体の上端から入射した光が傾斜面で反射されることなく、インジケータ本体の下端を透過するように、インジケータ本体の下端の傾斜面の傾斜角が選定されている。表示部材には、上記反射光及び透過光がそれぞれ照射される複数の表示面が設けられていて、電解液の液面レベルが許容下限レベル未満のとき及び電解液の比重が規定値未満のときと、電解液の比重が規定値以上で、その液面レベルが許容下限レベル以上のときとで、光が照射される表示面を異ならせることにより、電解液の状態を表示させるようにしている。
【０００５】
電槽の蓋にインジケータが取り付けられる従来のバッテリにおいては、インジケータ本体の上部に設けた雄ネジ部を、電槽の蓋に設けられた雌ネジ部にねじ込むことにより、インジケータを電槽の蓋に取り付けていた。
【特許文献１】特開平９−２９３５４０号公報
【発明の開示】
【発明が解決しようとする課題】
【０００６】
自動車用バッテリのインジケータに対しては、電解液の状態の視認性が良好であることの他に、バッテリへの装着が容易であること、その取付部から電解液が漏れるおそれが無いこと、及び振動などにより電槽の蓋から脱落することがないこと等の性能が求められる。
【０００７】
インジケータ本体に設けられたネジ部を電槽の蓋に設けられた雌ネジ部にねじ込むことにより、インジケータを電槽の蓋に取り付けるようにした場合には、インジケータを電槽の蓋に取り付ける際に、インジケータ本体のネジ部を電槽の蓋の雌ネジ部に対して位置決めした後、インジケータ本体の上端に設けられたコイン溝に工具を合わせて、インジケータ本体を回転させるという３段階の作業を行う必要があるため、インジケータの取付に手間がかかるという問題があった。
【０００８】
またインジケータ本体を電槽の蓋にネジ結合した場合には、自動車から伝達される振動によりインジケータ本体と電槽の蓋とのネジ結合部がゆるみ、インジケータの取付部を通して電解液が漏れるおそれがあった。
【０００９】
本発明の目的は、インジケータの取付をワンタッチで簡単に行うことができるようにすると共に、インジケータ本体と電槽の蓋との結合が緩むおそれを無くして、電解液の漏出等の問題が生じるおそれを無くした自動車用バッテリを提供することにある。
【課題を解決するための手段】
【００１０】
本発明は、極板群を電解液と共に収容した電槽と、電槽の蓋に取り付けられて電槽内に挿入された棒状のインジケータ本体と、電槽内に配置されたインジケータ本体の下端に設けられて電槽内の電解液の液面レベル及び比重の状態を表示する電解液状態表示部とを有するインジケータを備えて、電解液表示部による表示をインジケータ本体の上端から該インジケータ本体内を通して目視し得るように構成された自動車用バッテリに係わるものである。
【００１１】
本発明においては、上記電槽の蓋に、インジケータ取付け用筒部が、その上端を電槽の外部に開口させ、下端を電槽の蓋よりも下方の位置で電槽内に開口させた状態で設けられている。インジケータ本体は、インジケータ取付用筒部の上端の開口部の内径よりも大きい外径を有する頭部と、該頭部の下端から下方に伸びていてインジケータ取付用筒部内を緩く貫通した状態で配置された首下部とを一体に有している。インジケータ本体の首下部の外周には、複数の爪部が、周方向に等しい間隔を隔てて突設され、該複数の爪部がインジケータ取付用筒部の下端に下方から係合させられている。インジケータ本体の頭部とインジケータ取付け用筒部の上端の開口部周辺との間にパッキンが圧縮された状態で配置され、該パッキンの反発力により複数の爪部がインジケータ取付け用筒部の下端に係合した状態に保持されている。
【００１２】
上記のように構成すると、インジケータ本体の頭部の下側にパッキンを嵌合させた状態で、インジケータ本体の首下部をその下端の電解液状態表示部とともにインジケータ取付用筒部内に押し込んで、インジケータ本体の外周に設けられた爪部をインジケータ取付用筒部の下端に係合させるだけでインジケータを電槽の蓋に取り付けることができるため、インジケータの取付を簡単にすることができる。
【００１３】
爪部は、インジケータの周方向に等間隔をあけて複数個設けられて、インジケータ取付用筒部の下端に係合しているため、インジケータを安定に保持することができる。またインジケータ本体に一体に設けられた爪部を電槽の蓋に一体に設けられたインジケータ取付用蓋の下端に係合させるようにしたため、エンジンの振動や自動車の走行に伴ってバッテリに伝達される振動によりインジケータ本体と電槽の蓋との結合が緩むおそれをなくすことができ、インジケータ本体の取付部から電解液が漏れる状態が生じるのを防ぐことができる。
【００１４】
インジケータ本体に設けた爪部をインジケータ取付用筒部の下端に係合させる構造を採用する場合には、インジケータ本体を電槽の蓋に取り付ける際に、インジケータ本体から側方に突出している爪部が、インジケータ取付用筒部内を無理なく通過するようにしておく必要があるため、インジケータ取付用筒部の径をある程度大きめに設定しておく必要があり、インジケータ本体とインジケータ取付用筒部の内面との間には隙間が形成された状態になるのを避けられない。インジケータ本体とインジケータ取付用筒部の内面との間に大きい隙間が存在すると、インジケータ本体がインジケータ取付用筒部内で径方向に変位し得る状態に置かれるため、バッテリに振動が伝達された際にインジケータ本体に生じる変位が大きくなるおそれがある。バッテリの振動に伴ってインジケータ本体に大きな変位が生じると、爪部の付け根付近に大きな応力の集中が生じて、該爪部が疲労により折損するおそれがあり、好ましくない。
【００１５】
そこで、本発明の好ましい態様では、電槽の蓋に、インジケータ取付用筒部の上端の開口部よりも大きい内径を有する凹部が設けられていて、該凹部の底面にインジケータ取付用筒部の上端が開口させられる。そして、インジケータ本体の頭部が上記凹部内に嵌合されて、該頭部と凹部の底面との間にパッキンが配置され、インジケータ本体に設けられた爪部がインジケータ取付用筒部の下端に係合した状態で、インジケータ本体の頭部の少なくとも一部が上記凹部内に嵌合された状態に保持されて、インジケータ本体の頭部が該凹部により拘束されるように、凹部の深さが設定されている。
【００１６】
上記のように、電槽の蓋に凹部を設けて、インジケータ本体の頭部が該凹部内に嵌合された状態に保持されるようにしておくと、インジケータ本体を径方向に位置決めして、バッテリに振動が伝達された際に生じるインジケータ本体の変位量を少なくすることができるため、インジケータ本体に設けられた爪部が疲労により折損するおそれをなくして、インジケータの取付部の信頼性を高めることができる。
【００１７】
本発明の好ましい態様では、インジケータ取付用筒部の内周に、該筒部の周方向に延びる複数の環状のリブが、該筒部の軸線方向に並べた状態で設けられ、複数のリブにより、インジケータ本体の筒部の径方向への変位が規制される。
【００１８】
上記のように、インジケータ取付用筒部の内周に複数のリブを形成しておくと、該複数のリブによりインジケータ本体の径方向の変位量を制限することができるため、バッテリに振動が伝達された際にインジケータ本体に生じる変位量を少なくして、爪部に無理な力が加わるのを防ぐことができ、爪部が疲労により折損するおそれをなくすことができる。
【００１９】
振動に伴うインジケータ本体の径方向の変位を抑制するために、インジケータ取付用筒部の内径を小さく設定して、インジケータ本体の首下部４０１ｂをインジケータ取付け用筒部１０３の内周に嵌合させた状態にすることが考えられる。しかしながら、このように構成した場合には、インジケータ本体を取り付けるために、インジケータ本体をインジケータ取付用筒部内に挿入した際に、爪部がインジケータ取付け用筒部の内周面にきつく嵌合した状態になって、インジケータをインジケータ取付用筒部内に押し込むことが困難になる。これに対し、上記のように複数のリブを設けて、該リブによりインジケータ本体の変位を規制する構造にすると、インジケータ取付用筒部の内径は大きめに設定しておくことができ、またインジケータ本体をインジケータ取付用筒部内に挿入した際に、インジケータ本体に設けられた爪部がリブを乗り越えるのは容易であるため、インジケータの取付を困難にすることなく、インジケータ本体の変位を規制してインジケータの取付部の信頼性を高めることができる。
【発明の効果】
【００２０】
以上のように、本発明によれば、インジケータ本体の頭部の下側にパッキンを嵌合させた状態で、インジケータ本体の首下部をその下端の電解液状態表示部とともにインジケータ取付用筒部内に押し込んで、インジケータ本体の外周に設けられた爪部をインジケータ取付用筒部の下端に係合させるだけでインジケータを電槽の蓋に取り付けることができるため、インジケータの取付をワンタッチで、簡単に行うことができる。
【００２１】
また本発明においては、インジケータの周方向に等間隔をあけて複数個設けた爪部を電槽の蓋に一体に設けられたインジケータ取付用筒部の下端に係合させることにより、インジケータ本体を電槽の蓋に固定するため、エンジンの振動や自動車の走行に伴ってバッテリに伝達される振動によりインジケータ本体と電槽の蓋との結合が緩むおそれをなくすことができ、インジケータ本体の取付部から電解液が漏れる状態が生じるのを防ぐことができる。
【００２２】
本発明において、電槽の蓋に凹部を設けて、インジケータ本体の頭部が該凹部内に嵌合された状態に保持されるようにした場合には、インジケータ本体を径方向に位置決めして、バッテリに振動が伝達された際に生じるインジケータ本体の変位量を少なくすることができるため、インジケータ本体に設けられた爪部が疲労により折損するおそれをなくして、インジケータの取付部の信頼性を高めることができる。
【００２３】
また本発明において、インジケータ取付用筒部の内周に複数のリブを形成した場合には、インジケータ取付用筒部内へのインジケータ本体の挿入を困難にすることなく、複数のリブによりインジケータ本体の径方向の変位を制限することができるため、バッテリに振動が伝達された際にインジケータ本体に生じる変位量を少なくして、爪部に無理な力が加わるのを防ぐことができ、爪部が疲労により折損するおそれをなくすことができる。
【発明を実施するための最良の形態】
【００２４】
以下図面を参照して、本発明の好ましい実施形態を詳細に説明する。
図１及び図２において、１は、箱形の電槽本体１０１と、電槽本体の上端を閉じる蓋１０２とからなる電槽である。電槽１内に、正極板と負極板とをセパレータを介して積層して構成した極板群２が電解液３と共に収容され、電槽１と、極板群２と、電解液３とによりバッテリ（本実施形態では鉛蓄電池）の主要部が構成されている。
【００２５】
４は、電解液３の液面レベルと比重の状態とを表示するインジケータである。インジケータ４は、ポリカーボネートなどの、光を透過させる性質と耐酸性とを有する樹脂材料により形成されて、電槽の蓋１０２に取り付けられて電槽１内に挿入された棒状のインジケータ本体４０１と、電槽１内に配置されたインジケータ本体４０１の下端に設けられて電槽１内の電解液の液面レベル及び比重の状態を表示する電解液状態表示部４０２とからなっている。
【００２６】
電槽１の蓋１０２には、インジケータ取付け用筒部１０３が、その上端を電槽１の外部に開口させ、下端を電槽の蓋１０２よりも下方の位置で電槽内に開口させた状態で一体に設けられている。図示のインジケータ取付用筒部１０３は、上端から下端に向かって径が次第に小さくなるようにテーパが付けられた形状に形成されている。
【００２７】
図２に示したように、電槽１の蓋１０２には、インジケータ取付用筒部１０３の上端の開口部よりも大きい内径を有する凹部１０４が、その中心軸線をインジケータ取付用筒部１０３の軸線に一致させた状態で設けられていて、凹部１０４の底面１０４ａにインジケータ取付用筒部１０３の上端が開口させられている。
【００２８】
インジケータ本体４０１は、インジケータ取付用凹部１０４内に嵌合された状態で配置される頭部４０１ａと、頭部４０１ａの下端から下方に伸びていて、インジケータ取付用筒部１０３内を貫通した状態で配置された首下部４０１ｂとを一体に有している。頭部４０１ａと首下部４０１ｂとは、それぞれの中心軸線を共有した状態で設けられていて、首下部４０１ｂの外周には、インジケータ取付用筒部の下端に下方から係合させられる複数の爪部４０１ｃが、周方向に等しい間隔を隔てて突設されている。爪部４０１ｃは、少なくとも２つ設けられるが、インジケータ本体を安定に保持させるためには、爪部４０１ｃを等間隔をあけて、３以上設けることが好ましい。各爪部４０１ｃがインジケータ取付け用筒部１０３の下端に係合するのを容易にし、かつ一度インジケータ取付け用筒部１０３に係合した爪部４０１ｃが該筒部の下端から容易に外れないようにするため、図２に示されているように、各爪部４０１ｃが、インジケータ本体の頭部４０１ａに対向する平坦面４０１c1を上側（頭部４０１ａ側）に有し、インジケータ本体の下端側に向うに従ってインジケータ本体４０１の外周面に近づいていくように傾斜した傾斜面４０１c2を下側に有するように、各爪部の断面形状をほぼ三角形状として、各爪部４０１ｃの平坦面４０１c1をインジケータ取付け用筒部１０３の下端面に当接させた状態で、各爪部を筒部１０３の下端に係合させるようにしておくのが好ましい。
【００２９】
インジケータ取付用筒部１０３の内周には、該筒部の周方向に延びる複数（図示の例では３個）の環状のリブ１０３ａが、該筒部の軸線方向に間隔をあけて並べた状態で設けられている。各リブ１０３ａは、内径側に向って次第に厚さが薄くなるように、横断面がほぼ三角形状を呈するように形成されている。また電槽の蓋１０２に設けられた凹部１０４内には、クロロプレンゴム等の弾性材料からなるリング状のパッキン５が収容されて、該パッキン５が凹部１０４の底面１０４ａ上に着座させられている。
【００３０】
インジケータ４は、インジケータ本体４０１の首下部４０１ｂをパッキン５の内側を通してインジケータ取付け用筒部１０３内に挿入して、首下部４０１ｂの下端寄りの部分を筒部１０３の下端から電槽１内に突出させ、かつ頭部４０１ａをパッキン５と共に凹部１０４内に挿入した状態で、爪部４０１ｃをインジケータ取付け用筒部１０３の下端に係合させることにより、電槽の蓋１０２に取り付けられる。このようにインジケータ４を取付けた状態で、パッキン５がインジケータ本体の頭部４０１ａと凹部１０４の底面１０４ａとの間に圧縮された状態で配置されて、パッキン５の反発力により複数の爪部４０１ｃがインジケータ取付け用筒部１０３の下端に係合した状態に保持されるように、頭部４０１ａの下端と爪部４０１ｃとの間の距離と、インジケータ取付け用筒部１０３の軸線方向長さと、パッキン５の圧縮される前の状態での厚さとが設定されている。
【００３１】
本実施形態では、インジケータ本体の首下部４０１ｂがインジケータ取付け用筒部１０３内に挿入されて、爪部４０１ｃがインジケータ取付け用筒部の下端に係合させられた状態にされた際に、各リブ１０３ａの内周部がインジケータ本体４の首下部４０１ｂの外周面に接した状態になるように、各リブ１０３ａの突出高さ（インジケータ取付用筒部１０３の内周面からの突出高さ）が設定され、インジケータ本体の頭部４０１ａの外周部が凹部１０４の内周にほぼ隙間なく嵌合した状態になるように、頭部４０１ａの外径と、凹部１０４の内径とが設定されている。なお各リブ１０３ａの突出高さは、電槽の蓋１０２を成形する際に、筒部１０３内からの型抜きを可能にする程度の大きさに設定されている。
【００３２】
本実施形態では、インジケータ本体４０１の頭部４０１ａと電槽の蓋に設けられた凹部１０４との係合、及びインジケータ取付け用筒部１０３の内周のリブ１０３ａとインジケータ本体の首下部４０１ｂとの係合により、インジケータ取付け用筒部１０３の径方向へのインジケータ本体４０１の変位が規制されて、自動車の走行時にバッテリに伝達される振動に伴うインジケータ本体４０１の変位が抑制されている。
【００３３】
インジケータ４を電槽の蓋に取り付ける際には、凹部１０４内にパッキン５を挿入した後、インジケータ本体４０１の首下部４０１ｂをインジケータ取付け用筒部１０３内に挿入し、爪部４０１ｃ及び各リブ１０３ａを弾性変形させながら、爪部４０１ｃにより各リブ１０３ａを押しのけつつ、インジケータ本体４０１の首下部４０１ｂを筒部１０３内に押し込む。頭部４０１ａがパッキン５に当接したところで、パッキン５を圧縮させながらインジケータ本体を更にインジケータ取付け用筒部１０３内に押し込み、最終的に各爪部４０１ｃをインジケータ取付け用筒部１０３の下端から下方に突出させて、各爪部４０１ｃをインジケータ取付け用筒部１０３の下端に係合させる。
【００３４】
このように、本発明においては、インジケータ本体４０１をインジケータ取付け用筒部１０３内に押し込んでインジケータ本体の外周に設けられた爪部をインジケータ取付け用筒部の下端に係合させるだけで、インジケータを電槽の蓋に取り付けることができ、インジケータを電槽の蓋に取付ける際にネジ締め作業を行う必要がないため、インジケータの取付を簡単にすることができる。
【００３５】
本発明において、電解液状態表示部４０２の構成は任意であるが、本実施形態では、アクリル樹脂等の耐酸性樹脂材料からなるっていて、インジケータ本体の下端に固定されたカバー４０２ａと、カバー４０２ａ内に設けられて、電解液の液面レベル及び比重に応じて上下位置が変化するフロート（図示せず。）と、インジケータ本体４０１の下端側に設けられてフロートが低い位置にあるときに該フロートの色をインジケータ本体の上端側に反射させる反射面とを備えた電解液状態表示部４０２が用いられている。この電解液表示部は、電解液の液面レベルが許容下限レベルよりも低いか、または電解液の比重が規定範囲より小さいためにフロートが低い位置にあるときに、フロートの色を反射面によりインジケータ本体の上端側に反射させて、該フロートの色をインジケータ本体の上端からインジケータ本体内を通して視認し得るようにし、電解液の液面レベルが許容下限レベルよりも高く、かつ電解液の比重が規定範囲にあってフロートが高い位置にあるとき（フロートが液面付近に浮いているとき）には、フロートの色が上記反射面により反射されないようにして、電解液の液面レベル及び比重が正常であるときと、そうでないときとで、視認される色を異ならせることにより、電解液の状態を表示し得るように構成されている。
【００３６】
上記の実施形態のように構成すると、インジケータ本体４０１の頭部の下側にパッキンを嵌合させた状態で、インジケータ本体４０１の首下部４０１ｂをその下端の電解液状態表示部とともにインジケータ取付用筒部内に押し込んで、インジケータ本体４０１の外周に設けられた爪部４０１ｃをインジケータ取付用筒部１０３の下端に係合させるだけでインジケータを電槽１の蓋１０２に取り付けることができるため、インジケータの取付を簡単にすることができる。
【００３７】
また上記実施形態のように、インジケータ取付用筒部１０３の内周に複数のリブ１０３ａを形成しておくと、該複数のリブによりインジケータ本体の径方向の変位量を制限することができるため、バッテリに振動が伝達された際にインジケータ本体に生じる変位量を少なくして、爪部４０１ｃに無理な力が加わるのを防ぐことができ、爪部４０１ｃが疲労により折損するおそれをなくすことができ、インジケータの取付部の信頼性を高めることができる。
【００３８】
自動車から伝達される振動により生じるインジケータ本体の径方向の変位を抑制するため、インジケータ取付用筒部１０３の内周にリブを設けることなく、インジケータ取付け用筒部の内径を小さく設定して、インジケータ本体の首下部４０１ｂをインジケータ取付け用筒部１０３の内周に嵌合させることが考えられる。しかしながら、このように構成した場合には、インジケータ本体４０１を電槽の蓋に取り付けるために、インジケータ本体４０１をインジケータ取付用筒部１０３内に挿入した際に、爪部４０１ｃがインジケータ取付け用筒部１０３の内周面にきつく嵌合した状態になるため、インジケータをインジケータ取付用筒部内に押し込むことが困難になる。
【００３９】
これに対し、上記実施形態のように、インジケータ取付け用筒部１０３の内周に複数のリブ１０３ａを設けて、該リブによりインジケータ本体４０１の変位を規制するようにしておくと、インジケータ取付用筒部１０３の内径は大きめに設定しておくことができ、またインジケータ本体４０１をインジケータ取付用筒部１０３内に挿入した際に、インジケータ本体に設けられた爪部４０１ｃがリブ１０３ａを乗り越えるのは容易であるため、インジケータの取付を困難にすることなく、インジケータ本体の変位を規制してインジケータの取付部の信頼性を高めることができる。
【００４０】
上記の実施形態では、インジケータ本体の頭部４０１ａを電槽の蓋に設けた凹部１０４に内に嵌合状態で収容するようにして、頭部４０１ａと凹部１０４の内周部との係合によっても、インジケータ本体を径方向に位置決めするようにしているが、本発明はこのように構成する場合に限定されるものではなく、頭部４０１ａを凹部１０４に緩く嵌合させるように頭部４０１ａの外径及び凹部１０４の内径を設定しても良い。
【図面の簡単な説明】
【００４１】
【図１】本発明の一実施形態を示した縦断面図である。
【図２】図１の実施形態の要部を拡大して示した断面図である。
【符号の説明】
【００４２】
１  電槽
１０１  電槽本体
１０２  電槽の蓋
１０３  インジケータ取付け用筒部
１０３ａ  リブ
２  極板群
３  電解液
４  インジケータ
４０１  インジケータ本体
４０１ａ  頭部
４０１ｂ  首下部
４０１ｃ  爪部
４０２  電解液状態表示部
【図１】
2009238629.tif 000003
【図２】
2009238629.tif 000004